(57)【要約】【課題】従来、移動体端末の充電装置は充電機能しか備えていなかった。本発明では、充電装置において充電機能だけでなく、移動体端末のソフトウェアが古い場合にはソフトウェアの更新を行う。【解決手段】移動体端末の充電器にＬＡＮ接続機能を持たせ、移動体端末の充電開始を自動検知してインターネット上のサイトから自動的に移動体端末の更新ソフトウェアをダウンロードする。これにより、携帯端末の充電時間を利用してソフト更新を行うことが可能になる。【選択図】図１
2006080818.tif 000002
【特許請求の範囲】
【請求項１】
移動体端末の充電装置が移動体端末の充電を行う充電手段であって、前記移動体端末のソフトウェアが最新でない場合は、前記ソフトウェアの更新を行うことを特徴とする携帯端末ソフトウェア更新方法。
【請求項２】
機器を制御する制御手段と、前記制御手段を制御するプログラムを格納する記憶手段と、外部機器と通信を行う通信手段と、無線通信を行うチューナ部と、充電可能な電池から構成される移動体端末と、前記移動体端末と通信を行う通信手段と、ネットワークと通信を行う通信部と、機器の制御を行う制御手段と、前記移動体端末の電池を充電する充電手段を備えている充電装置からなる移動体端末の充電手段から構成されていることを特徴とする請求項１に記載の携帯端末ソフトウェア更新方法。
【請求項３】
移動体端末にあるＣＰＵは充電装置からの信号で充電状態であることを確認すると、まずチューナ部の電波状況を確認し、電波状況が良好で無線通信が行える場合は、前記チューナを用いてソフトウェアの更新を行い、電波状況が悪く無線通信が行えない場合は、外部の充電装置の内部にあるネットワークに接続できる通信手段（ＬＡＮなど）を用いてソフトウェアの更新を行う。移動体端末にあるＣＰＵは電波状況が悪く無線通信が行えない場合は、外部の充電装置にあるネットワークに接続できる通信手段（ＬＡＮなど）を用いて、まずダウンロードを行うサイトにアクセスし、移動体端末のソフトウェアのバージョンをインターネットのサイトに通知し、ソフトウェアのバージョンが古いとサイトから判断された場合は、ソフトウェアのダウンロードを開始し、ソフトウェアのバージョンが最新である場合は、その通知を受けることを特徴とする請求項１に記載の携帯端末ソフトウェア更新方法。
【発明の詳細な説明】
【技術分野】
【０００１】
本発明は移動体端末の充電中に、ソフトウェアの更新を自動的に行うものである。
【背景技術】
【０００２】
従来の移動体端末の充電装置は、単に移動体端末の充電機能を備えるだけであった（例えば、特許文献１を参照）。
【特許文献１】特開２００４−２３３９４号公報
【発明の開示】
【発明が解決しようとする課題】
【０００３】
従来の発明にあるような移動体端末の充電装置は充電機能しか備えていないため、ソフトウェアの更新は行うことができなかった。
【０００４】
本発明は充電装置において充電機能だけでなく、移動体端末のソフトウェアが古い場合にはソフトウェアの更新を行うことを特徴としている。
【課題を解決するための手段】
【０００５】
本発明は上記目的を達成するために、機器を制御する制御手段と、前記制御手段を制御するプログラムを格納する記憶手段と、外部機器と通信を行う通信手段と、無線通信を行うチューナ部と、充電可能な電池から構成される移動体端末と、前記移動体端末と通信を行う通信手段と、ネットワークと通信を行う通信部と、機器の制御を行う制御手段と、前記移動体端末の電池を充電する充電手段から構成される充電装置からなる。
【０００６】
移動体端末にあるＣＰＵは充電装置からの充電状態を知らせる信号を受け取ると、まずチューナ部の電波状況を確認し、電波状況が良好で無線通信が行える場合は、前記チューナ部を用いてソフトウェアの更新を行い、電波状況が悪く無線通信が行えない場合は、外部の充電装置の内部にあるＬＡＮを用いてソフトウェアの更新を行うことができる。
【発明の効果】
【０００７】
ソフトウェアの更新をユーザが移動体端末を使用していない充電時間に自動的に行うことができる。
【０００８】
また、ソフトウェアの不具合が発生した際に移動体端末の回収作業の手間を削減できる。
【発明を実施するための最良の形態】
【０００９】
（実施の形態１）
以下、本発明の第１の実施形態の例として図１、図２に基づいて説明する。
【００１０】
図１は充電システムを構成する移動体端末１と充電装置２のブロック図であり、移動体端末は接続部（１）３、２次電池４、メモリ（１）５、チューナ部６、ＣＰＵ（１）７を有しており、充電装置２は接続部（２）８、充電手段９、ＣＰＵ（２）１０、ＬＡＮ１１、メモリ（２）１２を有している。
【００１１】
接続部（１）３と接続部（２）８とは電気的に接続が可能となっている。
【００１２】
図２は処理動作を示すフローチャートである。
【００１３】
以下で上記構成の動作を説明する。
【００１４】
図１の充電装置２の充電手段９より得られる電源は接続部（２）８を通過して、移動体端末１の接続部（１）３を介して２次電池４の充電を行う。その際に移動体端末１の接続部（１）３は電源が２次電池４に供給されたことを信号でＣＰＵ（１）７に伝達する。
【００１５】
図１のＣＰＵ（１）７は接続部（１）３からの充電情報の信号を受け取ると図２のステップＳ１の充電状態を判断できる。
【００１６】
図１のＣＰＵ（１）７は充電状態であると判断すると、ステップＳ２の電波状態の判断を開始する。ＣＰＵ（１）７はチューナ部６に電界強度の情報を伝えるように命令し、無線通信を行えるだけの電界強度である場合はステップＳ３のチューナ部６でのソフトウェア更新作業を行い、無線通信を行えない電界強度である場合はステップＳ４の外部の充電装置２のＬＡＮ１１を用いてソフトウェアの更新作業を行う。
【００１７】
チューナ部でのソフトウェアの更新作業と充電装置２にあるＬＡＮ１１での更新作業をステップ３に示す。
【００１８】
ソフトウェア更新作業が開始されると、まずインターネット上にあるダウンロードを行えるサイトにアクセスする（ステップＳ３１）。アクセスを行うと移動体端末２のＣＰＵ（１）７はメモリ（１）５のソフトウェアのバージョンを確認し、ダウンロードを行うサイトにソフトウェアのバージョンを通知する（ステップＳ３２）。
【００１９】
ソフトウェアのバージョンを通知されたサイトはステップＳ３３でソフトウェアが最新状態であるかを判断する。ソフトウェアが最新の場合、ステップＳ３５でサイトはソフトウェアの更新が不要であることを移動体端末１に通知し、ソフトウェアの更新が必要であると判断された場合はステップＳ３４でソフトウェアのダウンロードを開始する。
【００２０】
ダウンロードがされたソフトウェアのデータはステップＳ５で移動体端末１のメモリ（１）５に格納される。
【００２１】
（実施の形態２）
以下、本発明の第２の実施形態の例として図２、図３に基づいて説明する。
【００２２】
図３は充電システムを構成する自動車２１と充電装置２２のブロック図であり、自動車は接続部（１）２３、２次電池２４、メモリ（１）２５、チューナ部２６、ＣＰＵ（１）２７、エンジン３３を有しており、充電装置２２は接続部（２）２８、充電手段２９、ＣＰＵ（２）３０、ＬＡＮ３１、メモリ（２）３２を有している。
【００２３】
接続部（１）１３と接続部（２）１８とは電気的に接続が可能となっている。
【００２４】
図２は処理動作を示すフローチャートである。
【００２５】
以下で上記構成の動作を説明する。
【００２６】
図３の充電装置２２の充電手段２９より得られる電源は接続部（２）２８を通過して、自動車１の接続部（１）２３を介して２次電池２４の充電を行う。その際に自動車２１の接続部（１）２３は電源が２次電池２４に供給されたことを信号でＣＰＵ（１）２７に伝達する。
【００２７】
図３のＣＰＵ（１）２７は接続部（１）２３からの充電情報の信号を受け取ると図２のステップＳ１の充電状態を判断できる。
【００２８】
図３のＣＰＵ（１）２７は充電状態であると判断すると、ステップＳ２の電波状態の判断を開始する。ＣＰＵ（１）２７はチューナ部２６に電界強度の情報を伝えるように命令し、無線通信を行えるだけの電界強度である場合はステップＳ３のチューナ部２６でのソフトウェア更新作業を行い、無線通信を行えない電界強度である場合はステップＳ４の外部の充電装置２２のＬＡＮ３１を用いてソフトウェアの更新作業を行う。
【００２９】
チューナ部でのソフトウェアの更新作業と充電装置２２にあるＬＡＮ３１での更新作業をステップ３に示す。ソフトウェア更新作業が開始されると、まず、インターネット上にあるダウンロードを行えるサイトにアクセスする（ステップＳ３１）。
【００３０】
アクセスを行うと自動車２１のＣＰＵ（１）２７はメモリ（１）２５のソフトウェアのバージョンを確認し、ダウンロードを行うサイトにソフトウェアのバージョンを通知する（ステップＳ３２）。
【００３１】
ソフトウェアのバージョンを通知されたサイトはステップＳ３３でソフトウェアが最新状態であるかを判断する。ソフトウェアが最新の場合ステップＳ３５でサイトはソフトウェアの更新が不要であることを自動車２１に通知し、ソフトウェアの更新が必要であると判断された場合はステップＳ３４でソフトウェアのダウンロードを開始する。
【００３２】
ダウンロードがされたソフトウェアのデータはステップＳ５で自動車２１のメモリ（１）２５に格納される。
【００３３】
（実施の形態３）
以下、本発明の第３の実施形態の例としてテレビ受信機について図４、図５に基づいて説明する。
【００３４】
図４はテレビ受信機４１のブロック図であり、チューナ部４２、メモリ４３、ＬＡＮ４４、表示装置４５、ＣＰＵ４６を有している。
【００３５】
図５は処理動作を示すフローチャートである。
【００３６】
ＬＡＮ４４を用いてまず、インターネット上にあるダウンロードを行えるサイトにアクセスする（ステップＳ１）。アクセスを行うとテレビ受信機４１のＣＰＵ４６はメモリ４３のソフトウェアのバージョンを確認し、ダウンロードを行うサイトにソフトウェアのバージョンを通知する（ステップＳ２）。
【００３７】
ソフトウェアのバージョンを通知されたサイトはステップＳ３でソフトウェアが最新状態であるかを判断する。ソフトウェアが最新の場合、ステップＳ５でサイトはソフトウェアの更新が不要であることをテレビ受信機４１に通知し、ソフトウェアの更新が必要であると判断された場合はステップＳ４でチューナ部４２を用いてソフトウェアのダウンロードを開始する。
【００３８】
ダウンロードがされたソフトウェアのデータはステップＳ６でテレビ受信機４１のメモリ３に格納される。
【産業上の利用可能性】
【００３９】
携帯電話のソフトウェアの更新を簡易的に行え、また、自動車や電化製品への応用ができるものとして有用である。
【図面の簡単な説明】
【００４０】
【図１】本発明の充電システムを説明するブロック図
【図２】本発明の充電システムの動作手順を示すフローチャート
【図３】本発明を自動車に応用した際のブロック図
【図４】本発明をテレビ受信機に応用した際のブロック図
【図５】本発明をテレビ受信機に応用した際の処理動作を示すフローチャート
【符号の説明】
【００４１】
１    移動体端末
２    充電装置
３    接続部（１）
４    ２次電池
５    メモリ（１）
６    チューナ部
７    ＣＰＵ（１）
８    接続部（２）
９    充電手段
１０    ＣＰＵ（２）
１１    ＬＡＮ
１２    メモリ（２）１２
２１    自動車
２２    充電装置
２３    接続部（１）
２４    ２次電池
２５    メモリ（１）２５
２６    チューナ部
２７    ＣＰＵ（１）
２８    接続部（２）
２９    充電手段
３０    ＣＰＵ（２）
３１    ＬＡＮ３１
３２    メモリ（２）
３３    エンジン
４１    テレビ受信機
４２    チューナ部
４３    メモリ
４４    ＬＡＮ
４５    表示装置４
４６    ＣＰＵ
【図１】
2006080818.tif 000003
【図２】
2006080818.tif 000004
【図３】
2006080818.tif 000005
【図４】
2006080818.tif 000006
【図５】
2006080818.tif 000007